(57)【要約】【課題】  各種のネットワークサービスから提供される情報を取り込み、機器の操作を示すための多様なＵＩコンテンツを簡単に生成することができるようにする。【解決手段】  このＵＩコンテンツ生成システムにおいては、ユーザが携帯電話６０を用いてＡＶ機器５０を操作する場合、ユーザが携帯電話６０から操作したい内容のＵＩコンテンツをＵＩコンテンツ生成サーバ１０に作成依頼する。ＵＩコンテンツ生成サーバ１０は、作成依頼により情報サーバ３０から情報を得てＵＩコンテンツを生成し、携帯電話６０にＵＩコンテンツを配信する。ユーザは携帯電話６０を使ってＵＩコンテンツの操作手順に従ってＡＶ機器５０を操作する。【選択図】  図１
2006024137.tif 000002
【特許請求の範囲】
【請求項１】
ユーザが使用する端末に、一連の操作手順を示すＵＩコンテンツを生成して提供するＵＩコンテンツ生成方法において、
通信手段を介してＵＩコンテンツの生成依頼データを受信入力するステップと、
受信した前記ＵＩコンテンツ生成依頼データに基づいて、ＵＩコンテンツを生成するためにデータ置換箇所と該置換箇所のデータ取得先とを示すＵＩコンテンツ生成データを解釈するステップと、
解釈した前記置換箇所と前記データ取得先の指示に基づいて、前記通信手段を介してデータを取得して、該データを前記ＵＩコンテンツ生成データの置換箇所に置換してＵＩコンテンツデータを生成するステップと、
前記ＵＩコンテンツデータを通信手段を介して前記端末に出力するステップとを備えたことを特徴とするＵＩコンテンツ生成方法。
【請求項２】
前記生成依頼データに基づいて、前記ＵＩコンテンツ生成データを蓄積したＵＩコンテンツ生成データ蓄積手段からＵＩコンテンツ生成データを選択するステップと、
ＵＩコンテンツデータを生成後に、生成された全てのＵＩコンテンツを蓄積するステップと、
生成依頼データに応じて必要なＵＩコンテンツを前記ＵＩコンテンツ蓄積手段から選択するステップとをさらに備えたことを特徴とする請求項１に記載のＵＩコンテンツ生成方法。
【請求項３】
ユーザが使用する端末に、一連の操作手順を示すＵＩコンテンツを生成して提供するＵＩコンテンツ生成装置において、
外部とデータ通信を行う通信手段と、
該通信手段を介してＵＩコンテンツの生成依頼データを受信入力する入力手段と、
受信した前記ＵＩコンテンツ生成依頼データに基づいて、ＵＩコンテンツを生成するためにデータ置換箇所と該置換箇所のデータ取得先とを示すＵＩコンテンツ生成データを解釈するＵＩコンテンツ生成データ解釈手段と、
解釈した前記置換箇所と前記データ取得先の指示に基づいて、前記通信手段を介してデータを取得して、該データを前記ＵＩコンテンツ生成データの置換箇所に置換してＵＩコンテンツデータを生成するＵＩコンテンツ生成データ置換手段と、
前記ＵＩコンテンツデータを通信手段を介して前記端末に出力するＵＩコンテンツデータ出力手段とを備えたことを特徴とするＵＩコンテンツ生成装置。
【請求項４】
前記ＵＩコンテンツ生成データを蓄積するＵＩコンテンツ生成データ蓄積手段と、
入力された前記ＵＩコンテンツ生成依頼データに基づいて、前記ＵＩコンテンツ生成データ蓄積手段からＵＩコンテンツ生成データを選択するＵＩコンテンツ生成データ選択手段と、
生成された全てのＵＩコンテンツを蓄積するＵＩコンテンツ蓄積手段と、
生成依頼データに応じて必要なＵＩコンテンツを前記ＵＩコンテンツ蓄積手段から選択するＵＩコンテンツ選択手段とをさらに備えたことを特徴とする請求項３に記載のＵＩコンテンツ生成装置。
【請求項５】
請求項３又は４に記載のＵＩコンテンツ生成装置と、ＵＩコンテンツの提供を受ける端末と、前記ＵＩコンテンツ生成装置にＵＩコンテンツを生成するためのデータを提供する情報サーバとがネットワークあるいは通信網で接続されたＵＩコンテンツ生成システムにおいて、
前記端末は、ＵＩコンテンツ生成依頼データを前記ＵＩコンテンツ生成装置に出力し、
前記ＵＩコンテンツ生成装置は、生成したＵＩコンテンツを前記端末に出力することを特徴とするＵＩコンテンツ生成システム。
【請求項６】
前記端末は、ユーザが新たなＵＩコンテンツを必要とする操作を選択した場合、該ＵＩコンテンツの生成依頼データを出力することを特徴とする請求項５に記載のＵＩコンテンツ生成システム。
【請求項７】
請求項３又は４に記載のＵＩコンテンツ生成装置と、ＵＩコンテンツの提供を受ける端末と、前記ＵＩコンテンツ生成装置にＵＩコンテンツを生成するためのデータを提供する情報サーバとがネットワークあるいは通信網で接続されたＵＩコンテンツ生成システムにおいて、
前記情報サーバは、ＵＩコンテンツ生成依頼データを前記ＵＩコンテンツ生成装置に出力し、
前記ＵＩコンテンツ生成装置は、生成したＵＩコンテンツを前記端末に出力することを特徴とするＵＩコンテンツ生成システム。
【請求項８】
請求項３又は４に記載のＵＩコンテンツ生成装置と、ＵＩコンテンツの提供を受ける端末と、前記ＵＩコンテンツ生成装置にＵＩコンテンツを生成するためのデータを提供する情報サーバとがネットワークあるいは通信網で接続されたＵＩコンテンツ生成システムにおいて、
前記情報サーバは、ＵＩコンテンツ生成依頼データを前記ＵＩコンテンツ生成装置に出力し、生成されたＵＩコンテンツを前記端末に出力し、
前記ＵＩコンテンツ生成装置は、生成したＵＩコンテンツを前記情報サーバに出力することを特徴とするＵＩコンテンツ生成システム。
【請求項９】
前記端末は、前記ＵＩコンテンツにより前記情報サーバに接続して必要な提供情報を取得することを特徴とする請求項８に記載のＵＩコンテンツ生成システム。
【請求項１０】
請求項３又は４に記載のＵＩコンテンツ生成装置と、ＵＩコンテンツの提供を受ける端末と、前記ＵＩコンテンツ生成装置にＵＩコンテンツを生成するためのデータを提供する情報サーバとがネットワークあるいは通信網で接続されたＵＩコンテンツ生成システムにおいて、
前記情報サーバは、ＵＩコンテンツ生成依頼データを前記ＵＩコンテンツ生成装置に出力し、生成されたＵＩコンテンツを前記端末に出力し、
前記ＵＩコンテンツ生成装置は、生成したＵＩコンテンツを前記情報サーバに出力し、
前記端末は、前記ＵＩコンテンツに従って作成した端末作成情報を前記情報サーバに出力することを特徴とするＵＩコンテンツ作成システム。
【請求項１１】
前記情報サーバは、前記端末作成情報を他の端末に開示可能とし、各端末に前記端末作成情報を閲覧するＵＩコンテンツを作成して出力することを特徴とする請求項１０記載のＵＩコンテンツ作成システム。
【発明の詳細な説明】
【技術分野】
【０００１】
本発明は、ネットワークサービスや家電機器などの操作方法をユーザに指示するためのＵＩ（User Interface）コンテンツを、インターネット等を介してユーザが用いる端末に供給できるＵＩコンテンツ生成方法、ＵＩコンテンツ生成装置及びＵＩコンテンツ生成システムに関する。
【背景技術】
【０００２】
インターネットやホームネットワーク、携帯電話網等の発達とそれらの相互接続の進展により、ネットワーク上のサーバにおいて生成したコンテンツをＰＣや携帯電話、テレビなどのデジタル家電に配信したり、サーバにおいて生成されたコンテンツを上記端末より取得して利用するというサービスが広く行われるようになった。
【０００３】
近年、上記各端末で利用できる機能はどんどん複雑になり、ユーザがそれらを使いこなすことが難しくなってきているため、上記サービスにおいて上記機能の操作方法をユーザに指示するためのＵＩ（User Interface）コンテンツを提供することが考えられる。ここで、ＵＩコンテンツとは、携帯電話やデジタルテレビなどのデジタル家電において、一連の操作手順をユーザに提示するための記述がなされたデータと定義する。ユーザは、ＵＩコンテンツの指示に従えば所望の操作を簡単に実行できることになり、マニュアル等を読む必要もなくなるという利点がある。
【０００４】
このようなＵＩコンテンツをユーザに提供するためには、各種操作に対応したＵＩコンテンツを作成する必要があるが、この作成を簡単に行うため、次のものが考えられる。
例えば、後述する特許文献１に記載されているように、ベクトルアニメーション方式のアニメーションデータを作成するためには、ユーザは、アニメーション作成専用のソフトウエアを使用しており、これを効率的に行うため、アニメーションデータの雛型となるテンプレートを予め作成して、このテンプレートを変更することにより、アニメーションデータを作成する。そして、メタテンプレートという中間データを導入し、このメタテンプレートに含まれる基本情報を変換して、多様なテンプレートを容易に生成することができる。
【特許文献１】特開２００３−３３１３０９号公報
【発明の開示】
【発明が解決しようとする課題】
【０００５】
特許文献１の記載から、メタテンプレート等のような中間データを利用して所定の情報を他の情報に変換し、ＵＩコンテンツを作成することが考えられる。しかし、ネットワーク等を通じて外部にあるデータを利用することを想定していないため、全ての情報を予め記憶しておくことが必要となる。そのため、多様なＵＩコンテンツを瞬時に作成することが難しいという問題があった。
【０００６】
本発明の目的は、上記の問題点を解決するために、各種のネットワークサービスから提供される情報を取り込み、機器の操作を示すための多様なＵＩコンテンツを簡単に生成することができるＵＩコンテンツ生成方法、ＵＩコンテンツ生成装置、及びＵＩコンテンツ生成システムを提供することである。
【課題を解決するための手段】
【０００７】
本発明は、ユーザが使用する端末に、一連の操作手順を示すＵＩコンテンツを生成して提供するＵＩコンテンツ生成方法において、通信手段を介してＵＩコンテンツの生成依頼データを受信入力するステップと、受信した前記ＵＩコンテンツ生成依頼データに基づいて、ＵＩコンテンツを生成するためにデータ置換箇所と該置換箇所のデータ取得先とを示すＵＩコンテンツ生成データを解釈するステップと、解釈した前記置換箇所と前記データ取得先の指示に基づいて、前記通信手段を介してデータを取得して、該データを前記ＵＩコンテンツ生成データの置換箇所に置換してＵＩコンテンツデータを生成するステップと、前記ＵＩコンテンツデータを通信手段を介して前記端末に出力するステップとを備えたことを特徴とする。
【０００８】
また、前記生成依頼データに基づいて、前記ＵＩコンテンツ生成データを蓄積したＵＩコンテンツ生成データ蓄積手段からＵＩコンテンツ生成データを選択するステップと、ＵＩコンテンツデータを生成後に、生成された全てのＵＩコンテンツを蓄積するステップと、生成依頼データに応じて必要なＵＩコンテンツを前記ＵＩコンテンツ蓄積手段から選択するステップとをさらに備えてもよい。
【０００９】
また、本発明は、ユーザが使用する端末に、一連の操作手順を示すＵＩコンテンツを生成して提供するＵＩコンテンツ生成装置において、外部とデータ通信を行う通信手段と、該通信手段を介してＵＩコンテンツの生成依頼データを受信入力する入力手段と、受信した前記ＵＩコンテンツ生成依頼データに基づいて、ＵＩコンテンツを生成するためにデータ置換箇所と該置換箇所のデータ取得先とを示すＵＩコンテンツ生成データを解釈するＵＩコンテンツ生成データ解釈手段と、解釈した前記置換箇所と前記データ取得先の指示に基づいて、前記通信手段を介してデータを取得して、該データを前記ＵＩコンテンツ生成データの置換箇所に置換してＵＩコンテンツデータを生成するＵＩコンテンツ生成データ置換手段と、前記ＵＩコンテンツデータを通信手段を介して前記端末に出力するＵＩコンテンツデータ出力手段とを備えたことを特徴とする。
【００１０】
また、前記ＵＩコンテンツ生成データを蓄積するＵＩコンテンツ生成データ蓄積手段と、入力された前記ＵＩコンテンツ生成依頼データに基づいて、前記ＵＩコンテンツ生成データ蓄積手段からＵＩコンテンツ生成データを選択するＵＩコンテンツ生成データ選択手段と、生成された全てのＵＩコンテンツを蓄積するＵＩコンテンツ蓄積手段と、生成依頼データに応じて必要なＵＩコンテンツを前記ＵＩコンテンツ蓄積手段から選択するＵＩコンテンツ選択手段とをさらに備えてもよい。
【００１１】
また、本発明は、前記ＵＩコンテンツ生成装置と、ＵＩコンテンツの提供を受ける端末と、前記ＵＩコンテンツ生成装置にＵＩコンテンツを生成するためのデータを提供する情報サーバとがネットワークあるいは通信網で接続されたＵＩコンテンツ生成システムにおいて、前記端末は、ＵＩコンテンツ生成依頼データを前記ＵＩコンテンツ生成装置に出力し、前記ＵＩコンテンツ生成装置は、生成したＵＩコンテンツを前記端末に出力することを特徴とする。
【００１２】
また、前記端末は、ユーザが新たなＵＩコンテンツを必要とする操作を選択した場合、該ＵＩコンテンツの生成依頼データを出力することを特徴とする。
【００１３】
また、本発明は、前記ＵＩコンテンツ生成装置と、ＵＩコンテンツの提供を受ける端末と、前記ＵＩコンテンツ生成装置にＵＩコンテンツを生成するためのデータを提供する情報サーバとがネットワークあるいは通信網で接続されたＵＩコンテンツ生成システムにおいて、前記情報サーバは、ＵＩコンテンツ生成依頼データを前記ＵＩコンテンツ生成装置に出力し、前記ＵＩコンテンツ生成装置は、生成したＵＩコンテンツを前記端末に出力することを特徴とする。
【００１４】
また、本発明は、前記ＵＩコンテンツ生成装置と、ＵＩコンテンツの提供を受ける端末と、前記ＵＩコンテンツ生成装置にＵＩコンテンツを生成するためのデータを提供する情報サーバとがネットワークあるいは通信網で接続されたＵＩコンテンツ生成システムにおいて、前記情報サーバは、ＵＩコンテンツ生成依頼データを前記ＵＩコンテンツ生成装置に出力し、生成されたＵＩコンテンツを前記端末に出力し、前記ＵＩコンテンツ生成装置は、生成したＵＩコンテンツを前記情報サーバに出力することを特徴とする。
【００１５】
また、前記端末は、前記ＵＩコンテンツにより前記情報サーバに接続して必要な提供情報を取得することを特徴とする。
【００１６】
また、本発明は、前記ＵＩコンテンツ生成装置と、ＵＩコンテンツの提供を受ける端末と、前記ＵＩコンテンツ生成装置にＵＩコンテンツを生成するためのデータを提供する情報サーバとがネットワークあるいは通信網で接続されたＵＩコンテンツ生成システムにおいて、前記情報サーバは、ＵＩコンテンツ生成依頼データを前記ＵＩコンテンツ生成装置に出力し、生成されたＵＩコンテンツを前記端末に出力し、前記ＵＩコンテンツ生成装置は、生成したＵＩコンテンツを前記情報サーバに出力し、前記端末は、前記ＵＩコンテンツに従って作成した端末作成情報を前記情報サーバに出力することを特徴とするＵＩコンテンツ作成システム。
【００１７】
また、前記情報サーバは、前記端末作成情報を他の端末に開示可能とし、各端末に前記端末作成情報を閲覧するＵＩコンテンツを作成して出力することを特徴とする。
【発明の効果】
【００１８】
本発明によれば、ＵＩコンテンツ生成依頼データに基づいて、ＵＩコンテンツ生成データを解釈し、インターネット等を通じて外部から情報を取得してＵＩコンテンツを生成するので、データをＵＩコンテンツ生成装置自体に記録しておく必要がなく、多様なＵＩコンテンツを瞬時に且つ簡便に作成することができる。さらに、端末を使用するユーザにとっては、マニュアル等を読むことなく、必要に応じて操作手順が示されるので、簡単に操作や情報取得を行うことができるという利点がある。
【発明を実施するための最良の形態】
【００１９】
以下、本発明の実施の形態を添付図面を参照して説明する。
【実施例１】
【００２０】
図１は、本発明に係るＵＩコンテンツ生成システムの第１の実施例を示す構成図である。
ＵＩコンテンツ生成システムは、ＵＩコンテンツ生成サーバ１０、情報サーバ３０、デジタルテレビやハードディスクレコーダからなるＡＶ機器（端末）５０、携帯電話（端末）６０、インターネット７０、携帯電話網８０を備えたものである。
【００２１】
ＵＩコンテンツ生成サーバ１０は、ＵＩコンテンツを生成し、配信するサーバである。
情報サーバ３０は、ＵＩコンテンツ生成サーバ１０にＵＩコンテンツを生成するための情報を提供するサーバである。ＡＶ機器５０及び携帯電話６０は、サーバに対する端末に該当し、テレビ番組やＵＩコンテンツの配信を受ける機器である。これらはすべてインターネット７０を介して接続されており、携帯電話６０は、インターネット７０と携帯電話網８０を介して接続されている。そして、携帯電話５０は赤外線（ＩＲ）あるいは無線電波によって、ＡＶ機器５０を操作できるリモコン機能（遠隔操作機能）を有している。
【００２２】
このＵＩコンテンツ生成システムにおいては、ユーザが携帯電話６０を用いてＡＶ機器５０を操作する場合、ユーザが携帯電話６０から操作したい内容のＵＩコンテンツをＵＩコンテンツ生成サーバ１０に生成依頼する。ＵＩコンテンツ生成サーバ１０は、生成依頼により情報サーバ３０から情報を得てＵＩコンテンツを生成し、携帯電話６０にＵＩコンテンツを配信する。ユーザは携帯電話６０を使ってＵＩコンテンツの操作手順に従ってＡＶ機器５０を操作する。
【００２３】
図２は、携帯電話におけるビデオ録画予約のＵＩコンテンツの画面遷移を示す説明図である。
これはＡＶ機器５０のハードディスクレコーダにビデオ録画予約を行う操作手順を示しており、ＵＩコンテンツ生成サーバ１０から送られてくるＵＩコンテンツに基づいて携帯電話６０の液晶画面に表示される内容である。
【００２４】
まず、図２（ａ）では、ユーザが、携帯電話６０のＵＩコンテンツの一覧表示から操作したいＵＩコンテンツを選択して（ここでは「ビデオ録画予約」を選ぶ）、「開く」を押すとＵＩコンテンツの内容が表示される。次に、このＵＩコンテンツの選択が初回の場合には、新たなＵＩコンテンツの作成処理に入る（図２（ｂ）〜（ｄ））。既にＵＩコンテンツが作成されている場合は、「ビデオ録画予約」の画面に進む（図２（ｅ））。
まず、初回の場合として説明する。図２（ｂ）に示すように、ＵＩコンテンツの作成出ることを表示し、ユーザにビデオデッキのメーカーを選択させ（ここでは「Ａ社」を選択する）、「ＵＩコンテンツ作成」ボタンを押すと、図２（ｃ）の画面に遷移する。携帯電話６０は、「サーバでＵＩコンテンツを作成中」であることを表示し、ＵＩコンテンツ生成サーバ１０にＵＩコンテンツ生成依頼データを送信する。ＵＩコンテンツ生成サーバ１０では、受け取った情報「Ａ社」を元に、ＵＩコンテンツ生成データの情報取得先を修正し、ＵＩコンテンツ生成データを処理してＵＩコンテンツを生成し、携帯電話６０に送信する。
【００２５】
携帯電話６０では、図２（ｄ）に示すように、ＵＩコンテンツが生成されたことを表示する。「開く」ボタンを押すと、図２（ｅ）の画面に遷移し、録画するチャンネルの設定を促される。選択される数値は文書形式のメディアオブジェクトであり、選ばれた値で元の値が置換される。次に、図２（ｆ）に示すように、録画予約の開始時刻の設定を促される。次に、図２（ｇ）に示すように、録画予約の終了時刻の設定を促される。次に、図２（ｈ）に示すように、ここまでの設定内容の確認を促される。「予約」を押すとビデオ録画予約を行うための情報が赤外線でテレビに送られる。次に、図２（ｉ）に示すように、予約完了の確認画面が表示され、「終了」を押すと最初のＵＩコンテンツ一覧表示に戻る。
【００２６】
このＵＩコンテンツは、この操作手順毎に作成されるものであるが、これらを一つ一つ個別に作成するのは、コンテンツ提供者にとって大変な負担となるので、コンテンツ生成サーバ１０には、コンテンツ提供者が予め雛型となるコンテンツ生成データを蓄積しておく。
【００２７】
図３はＵＩコンテンツ生成データを示す説明図である。
コンテンツ生成データ１００は、ＳＭＩＬ（Synchronized Multimedia Integration Language）やＸＨＴＭＬ（eXtensible HyperText Markup Language）等のＸＭＬ（eXtensible Markup Language）言語により記述された記述データ１０１から構成され、記述データ１０１の中にＵＩコンテンツ生成サーバ１０によって置換される部分の指定やデータ取得先の指定等の指定記述データ１０２が含まれる。このようなコンテンツ生成データがいくつもＵＩコンテンツ生成サーバ１０に記憶されている。そして、指定記述データ１０２に指定されているデータを、情報サーバ３０にある音楽、画像、文書などのメディアオブジェクト２００にアクセスして所望のデータを取り込む。
【００２８】
上記ＵＩコンテンツ生成データは一般的なものであるが、以下に本実施例のＵＩコンテンツ生成データについて説明する。図４は、ビデオ録画予約のＵＩコンテンツ生成データを示す説明図である。
図４に示すように、ＵＩコンテンツ生成データ内の可変部分に入るべきデータ、すなわち赤外線コード情報を、テレビ番組情報サーバ３０から携帯電話６０に取り込む。これは図２（ｂ）の画面でビデオデッキのメーカを選択したので、テレビ番組情報サーバ３０が携帯電話６０から入力されたメーカ情報に基づいて赤外線コード情報の取得先を修正し、携帯電話６０に送信する。これにより携帯電話６０は、ＡＶ機器５０であるビデオデッキに対して、赤外線による録画予約を行うことができる。
【００２９】
図５は、ＵＩコンテンツ生成サーバの一例の構成を示すブロック図である。
ＵＩコンテンツ生成サーバ１０は、通信部１１、データ入力部１２、ＵＩコンテンツデータ選択部１３、ＵＩコンテンツ生成データ解釈部１４、ＵＩコンテンツ生成データ蓄積部１５、ＵＩコンテンツ生成データ置換部１６、データ取得部１７、ＵＩコンテンツ蓄積部１８、ＵＩコンテンツ選択部１９、データ出力部２０を備えている。
【００３０】
次に、ＵＩコンテンツ生成サーバの動作について説明する。図６は、このＵＩコンテンツ生成サーバ１０の動作を示すフローチャートである。
ユーザが携帯電話６０を用いて、例えば図２（ａ）に示すように、ＵＩコンテンツリストからビデオ録画予約を選択したとする。この情報が、ＵＩコンテンツ生成依頼データとなって、携帯通信網８０とインターネット７０を介して通信部１１に入力される。通信部１１は、データ入力部１２にＵＩコンテンツ生成依頼データを送り、入力データ（ＵＩコンテンツ生成依頼データ）があることをＵＩコンテンツ生成サーバ１０が認識する（ステップＳ１）。次に、ＵＩコンテンツ生成データ選択部１３が、入力データに応じて、ＵＩコンテンツを生成するための雛型であるＵＩコンテンツ生成データを選択する（ステップＳ２）。この場合、ＵＩコンテンツ生成依頼データに基づいて、一連の操作に関する全てのＵＩコンテンツ生成データを選択していく。そして、ＵＩコンテンツ生成データ蓄積部１５に目的のＵＩコンテンツ生成データが蓄積されているか検索し（ステップＳ３）、蓄積されてなければ、エラー出力をデータ出力部２０に送り、データ出力部２０は、通信部１１、インターネット７０、携帯電話網８０を介して携帯電話６０にエラーデータの出力を行う（ステップＳ１１）。
【００３１】
入力データ（ＵＩコンテンツ生成依頼データ）に応じてＵＩコンテンツ生成データのデータ取得記述を修正する（ステップＳ４）。入力データに適する目的のＵＩコンテンツ生成データが存在すれば、ＵＩコンテンツ生成データ解釈部１４が、ＵＩコンテンツ生成データの記述データ１０１（特に指定記述データ１０２）の解釈を行う（ステップＳ５）。これにより、指定記述データ１０２の置換指定先がわかるので、ＵＩコンテンツ生成データ置換部１６は、データ取得部１７にデータ取得を指示する。データ取得部１７は指定先の情報サーバ３０から目的のデータを通信部１１を通じて取得できるか否か確認する（ステップＳ６）。取得できた場合は、ステップＳ７に進み、ＵＩコンテンツ生成データ置換部１６に取得した置換データを送り、ＵＩコンテンツ生成データ置換部１６がデータ置換を行い、ＵＩコンテンツを生成する。取得できなかった場合は、エラー出力をデータ出力部２０に送り、データ出力部２０は、通信部１１、インターネット７０、携帯電話網８０を介して携帯電話６０にエラーデータの出力を行う（ステップＳ１１）。
【００３２】
ステップＳ８において、ＵＩコンテンツ生成データ内の全ての置換箇所についてデータの置換を行ったかを確認し、行っていなければステップＳ６に戻り、行っていればステップＳ９に進む。ステップＳ９において、生成されたＵＩコンテンツをＵＩコンテンツ蓄積部１８がメモリやハードディスク等の記録媒体に記録する。ＵＩコンテンツ選択部１９は、ＵＩコンテンツ生成依頼データに基づいて、一連の操作を示す複数のＵＩコンテンツの中から必要なものを選択し、データ出力部２０はそれを通信部１１を通じて、携帯電話６０に配信する（ステップＳ１０）。
【００３３】
また、図７は携帯電話６０の操作手順を示すフローチャートである。ユーザがＵＩコンテンツを選択する（ステップＳ１１）。そのコンテンツが選ばれるのが初めての場合はステップＳ１３に進み、初めてではない場合はステップ１５に進む。ステップＳ１３において、ユーザはメーカパラメータの入力を行う。次に、携帯電話６０は、ＵＩコンテンツ生成サーバ１０にＵＩコンテンツ生成依頼を行う（ステップＳ１４）。ステップＳ１５において、携帯電話６０はＵＩコンテンツ生成サーバ１０からＵＩコンテンツを受け取る。そして、携帯電話６０は、ＵＩコンテンツに従って操作手順を表示する（ステップＳ１６）。
【００３４】
こうして、携帯電話６０からのＵＩコンテンツ生成依頼データに基づいて、雛型であるＵＩコンテンツ生成データを解釈し、インターネット等を通じて外部の情報サーバ３０から情報を取得してＵＩコンテンツを生成するので、データをＵＩコンテンツ生成サーバ３０に記録しておく必要がなく、多様なＵＩコンテンツを瞬時に且つ簡便に作成することができる。
【実施例２】
【００３５】
図８は、本発明に係るＵＩコンテンツ生成システムの第２の実施例を示す構成図である。第２の実施例では、コンテンツ提供者がテレビ番組情報サーバ３１を通じて「お勧め番組情報の更新通知」を行う。ＵＩコンテンツ生成サーバ１０は、その通知に基づいてＵＩコンテンツ生成データによりＵＩコンテンツを作成する。このとき第１の実施例と同様に、ＵＩコンテンツ生成データの置換指定部分を解釈して、テレビ番組情報サーバ３１から番組情報を取得し、ＵＩコンテンツ生成データの置換部分を置換してＵＩコンテンツを生成する。ＵＩコンテンツ生成サーバ１０から携帯電話網（インターネットでもよい）を介して携帯電話６０に「お勧め番組情報の更新通知」を行うと同時にＵＩコンテンツを送る。ユーザは、携帯電話６０に表示されるＵＩコンテンツに従って「お勧め番組情報の更新通知」の操作を行う。ユーザが携帯電話６０で見たい番組を表示しボタンを押すと、携帯電話６０はＡＶ機器５０のハードディスクレコーダ内に蓄積された特定の映像を再生するための赤外線情報を送信する。ハードディスクレコーダは赤外線情報を受信し、指定された映像を再生する。
このようにコンテンツ提供者がユーザの使用する端末（携帯電話６０）にＵＩコンテンツを配信させる。
【００３６】
ＡＶ機器５０のハードディスクレコーダに大量に蓄積された映像（過去何日間かの全ての放送番組の映像であってもよい）の中から、テレビ番組情報サービス提供者がユーザに対して視聴を勧める映像情報を提供したい場合、この視聴を勧める映像情報を取得し、ユーザが所望すれば再生することのできるＵＩコンテンツを、ＵＩコンテンツ生成サーバ１０で生成して、端末である携帯電話６０に送信する。このとき、ＵＩコンテンツ生成サーバ１０は、１つのＵＩコンテンツ生成データを使って、いろいろな映像を再生するために利用できるＵＩコンテンツを簡単に作成することができる。
【００３７】
図９は、携帯電話における映像再生ＵＩコンテンツの画面遷移を示す説明図である。
図９（ａ）には、携帯電話６０にＵＩコンテンツ生成サーバ１０からＵＩコンテンツが届けられた際の画面である。「リストを開く」ボタンを押すと、図９（ｂ）に示すＵＩコンテンツ一覧表示に進む。ＵＩコンテンツを選択して「開く」を押すと、図９（ｃ）に示すＵＩコンテンツの内容が表示され、番組の内容が表示される。「この番組を見る」ボタンを押すと、図９（ｄ）に示すページへ遷移し、番組を見るか否かをユーザに確認する画面となる。ユーザが「再生開始」ボタンを押すと、ハードディスクレコーダを制御する赤外線情報を送信し、ＵＩコンテンツ一覧表示に戻る。
【００３８】
図１０は、映像再生ＵＩコンテンツ生成データを示す説明図である。ＵＩコンテンツ生成データ内の置換部分に入るべきデータを、テレビ番組情報サーバ３１から取り込む。番組タイトル、放送日時、放送局、視聴率、みどころ、再生時のハードディスクレコーダの赤外線コード等といった情報はすべてテレビ番組情報サーバ３１から取り込む。
【００３９】
具体的に、ＵＩコンテンツ生成データは図１１に示すように、タグで囲まれた内部にデータ取り込みの指定場所（テレビ番組情報サーバ３１の情報格納場所）が記載されており、そこからデータを取得し、タグを置き換える。そうすると、図１２に示すように、具体的な情報が記載され、ＵＩコンテンツが生成される。
このように、情報が刻々変化する場合、ＵＩコンテンツ生成データに基づいて、変化するデータを置き変えるだけで、簡単にＵＩコンテンツが生成できる。
【００４０】
次に、ＵＩコンテンツ生成サーバの動作について説明する。図１３は、このＵＩコンテンツ生成サーバ１０の動作を示すフローチャートである。
ＵＩコンテンツ生成サーバ１０のデータ入力部１０は、テレビ番組情報サーバ３１からの情報更新通知があるかを確認している（ステップＳ２１）。次に、ＵＩコンテンツ生成データ選択部１３が、情報更新通知に応じて、ＵＩコンテンツを生成するための雛型であるＵＩコンテンツ生成データを選択する（ステップＳ２２）。この場合、ＵＩコンテンツ生成依頼データに基づいて、一連の操作に関する全てのＵＩコンテンツ生成データを選択していく。次に、ＵＩコンテンツ生成データ蓄積部１５に目的のＵＩコンテンツ生成データが蓄積されているか検索し（ステップＳ２３）、蓄積されてなければ、エラー出力をデータ出力部２０に送り、データ出力部２０は、通信部１１、インターネット７０を介してテレビ番組情報サーバ３１にエラー出力を行う（ステップＳ３０）。
【００４１】
目的のＵＩコンテンツ生成データが存在すれば、ＵＩコンテンツ生成データ解釈部１４が、ＵＩコンテンツ生成データの記述データ（図１１のタグで囲まれたデータ）の解釈を行う（ステップＳ２４）。これにより、記述データの置換指定先がわかるので、ＵＩコンテンツ生成データ置換部１６は、データ取得部１７にデータ取得を指示する。データ取得部１７は指定先のテレビ番組情報サーバ３１から目的のデータを通信部１１を通じて取得できるか否か確認する（ステップＳ２５）。取得できた場合は、ステップＳ２６に進み、ＵＩコンテンツ生成データ置換部１６に取得した置換データを送り、ＵＩコンテンツ生成データ置換部１６がデータ置換を行い、ＵＩコンテンツを生成する。取得できなかった場合は、エラー出力をデータ出力部２０に送り、データ出力部２０は、通信部１１を介してテレビ番組情報サーバ３１にエラー出力を行う（ステップＳ３０）。
【００４２】
ステップＳ２７において、ＵＩコンテンツ生成データ内の全ての置換箇所についてデータの置換を行ったかを確認し、行っていなければステップＳ２５に戻り、行っていればステップＳ２８に進む。ステップＳ２８において、生成されたＵＩコンテンツをＵＩコンテンツ蓄積部１８がメモリやハードディスク等の記録媒体に記録する。ＵＩコンテンツ選択部１９は、ＵＩコンテンツ生成依頼データに基づいて、一連の操作を示す複数のＵＩコンテンツの中から必要なものを選択し、データ出力部２０はそれを通信部１１を通じて、携帯電話６０に配信する（ステップＳ２９）。
【００４３】
こうして、テレビ番組情報サーバ３１からの更新通知に基づいて、雛型であるＵＩコンテンツ生成データを解釈し、インターネット等を通じてテレビ番組情報サーバ３１から情報を取得してＵＩコンテンツを生成するので、データをＵＩコンテンツ生成装置に記録しておく必要がなく、多様なＵＩコンテンツを瞬時に且つ簡便に作成することができる。
【実施例３】
【００４４】
第３の実施例は、着うたを試聴して、気に入った着うたを購入するためのＵＩコンテンツ生成を行う例である。図１４は本発明に係るＵＩコンテンツ生成システムの第３の実施例を示す構成図である。第３の実施例では、着うた販売業者サーバ（情報サーバ）３２よりＵＩコンテンツ生成サーバ１０に対してＵＩコンテンツの生成依頼データを送る。ＵＩコンテンツ生成サーバ１０では、利用するＵＩコンテンツ生成データを選択し、置換部分の外部データを着うた販売業者サーバ３２より取得して、ＵＩコンテンツを生成する。また、生成したＵＩコンテンツを着うた販売業者サーバ３２に送信する。着うた販売業者サーバ３２は生成されたＵＩコンテンツをユーザの携帯電話６０に送信する。ユーザは携帯電話６０でＵＩコンテンツを開き、着うたを試聴する。気に入った着うたがあれば、ＵＩコンテンツより、着うた販売業者サーバ３２に接続して購入する。
【００４５】
図１５は、携帯電話における着うたＵＩコンテンツの画面遷移を示す説明図である。
図１５（ａ）は、着うた販売業者サーバ３２からＵＩコンテンツが届けられた際の画面である。「リストを開く」ボタンを押すと、図１５（ｂ）に示すＵＩコンテンツ一覧表示に進む。「着うた試聴・購入」を選択して「開く」を押すと、図１５（ｃ）に示すＵＩコンテンツの内容が表示され、着うた試聴・購入の内容が表示される。「試聴する」ボタンを押すと、図１５（ｄ）に示すページへ遷移し、着うたのサンプル音楽が再生される。また、着うたを購入するか否かをユーザに確認している。ユーザが「購入」ボタンを押すと、図１５（ｇ）の購入指示画面に行き、「購入」ボタンを押すと着うたがダウンロードされる。そして、図１５（ｄ）画面に戻り、「次へ」ボタンを押すと、図１５（ｅ）の次の着うたに移り、着うたを購入するか否かをユーザに確認する。ユーザが「購入」ボタンを押すと、図１５（ｈ）の購入指示画面に行き、「購入」ボタンを押すと着うたがダウンロードされる。そして、図１５（ｅ）画面に戻り、「次」ボタンを押すと、図１５（ｆ）の終了画面となる。なお、購入したくない場合は（ｄ）（ｅ）において「購入」ボタンを押さずに、「次へ」ボタンを押せば、次の画面へ移る。
【００４６】
図１６は、この着うたのＵＩコンテンツ生成データを示す説明図である。ＵＩコンテンツ生成データ内の置換部分に入るべきデータを、着うた販売業者サーバ３２から取り込む。例えば、曲目タイトル、取り込む音楽データ、購入先情報等といった情報はすべて着うた販売業者サーバ３２から取り込む。
このように、情報が刻々変化する場合、ＵＩコンテンツ生成データに基づいて、変化するデータを置き変えるだけで、簡単にＵＩコンテンツが生成できる。
【実施例４】
【００４７】
第４の実施例は、ＢＬＯＧ（インターネットの日記サービス）の利用を容易にするＵＩコンテンツを生成する例である。図１７は、本発明に係るＵＩコンテンツ生成システムの第４の実施例を示す構成図である。
ＢＬＯＧ提供サーバ（情報サーバ）３３よりＵＩコンテンツ生成サーバ１０に対してＵＩコンテンツ生成依頼データを送る。ＵＩコンテンツ生成サーバ１０では、ＢＬＯＧ提供サーバ３３よりＢＬＯＧ投稿用データを取得してＵＩコンテンツを生成し、ＢＬＯＧ提供サーバ３３に返却する。ＢＬＯＧ提供サーバ３３より投稿者ユーザの携帯電話６１に対してＵＩコンテンツを送付する。投稿者ユーザはＵＩコンテンツを使って記事（端末作成情報）を作成し、ＢＬＯＧ提供サーバ３３に投稿する。
ＢＬＯＧ提供サーバ３３は、この記事を他の携帯電話６１にも開示可能とし、閲覧ＵＩコンテンツをＵＩコンテンツ生成サーバ１０に生成させて、これを携帯電話６１に送付する。携帯電話６１を使用するユーザは、このＵＩコンテンツに従って記事を閲覧し、コメント等を投稿できる。
【００４８】
図１８は、携帯電話におけるＢＬＯＧ投稿のＵＩコンテンツの画面遷移を示す説明図である。
図１８（ａ）は、着うた販売業者サーバ３３からＵＩコンテンツが届けられた際の画面である。「リストを開く」ボタンを押すと、図１８（ｂ）に示すＵＩコンテンツ一覧表示に進む。「ＢＬＯＧ投稿」を選択して「開く」を押すと、図１８（ｃ）に示すＵＩコンテンツの内容が表示され、ＢＬＯＧ投稿の内容が表示される。「投稿する」ボタンを押すと、図１８（ｄ）に示すページへ遷移し、タイトルを記入する。ユーザが「次へ」ボタンを押すと、図１８（ｅ）の記事の作成画面に遷移し、本文を記入する。「次へ」ボタンを押すと、図１８（ｆ）の画像の貼り付け画面に遷移し、カメラで写すかどうかを確認する。「カメラ」ボタンを押すと、携帯電話６１のカメラ機能が動作して撮影対象を画面映し出す。「撮影」ボタンを押すと、携帯電話６１が撮影を行い、図１８（ｈ）の記事確認画面に遷移する。「投稿」ボタンを押すと、図１８（ｉ）の投稿完了画面となる。
【００４９】
図１９は、ＢＬＯＧ投稿のＵＩコンテンツ生成データを示す説明図である。ＵＩコンテンツ生成データ内の置換部分に入るべきデータを、ＢＬＯＧ提供サーバ３３から取り込む。例えば、投稿テーマや投稿先情報等といった情報はすべてＢＬＯＧ提供サーバ３３から取り込む。
このように、情報が刻々変化する場合、ＵＩコンテンツ生成データに基づいて、変化するデータを置き変えるだけで、簡単にＵＩコンテンツが生成できる。
【００５０】
また、ＢＬＯＧ提供サーバ３３よりＵＩコンテンツ生成サーバ１０に対してＵＩコンテンツ作成依頼データを送る。ＵＩコンテンツ生成サーバ１０では、ＢＬＯＧ生成サーバ３３よりＢＬＯＧ閲覧用データを取得してＵＩコンテンツを生成し、ＢＬＯＧ提供サーバ３３に返却する。ＢＬＯＧ提供サーバ３３より読者ユーザの携帯電話６２に対してＵＩコンテンツを送付する。読者ユーザはＵＩコンテンツを使って記事を閲覧し、ＢＬＯＧ提供サーバ３３にコメントを投稿する。
【００５１】
図２０は、携帯電話におけるＢＬＯＧ閲覧のＵＩコンテンツの画面遷移を示す説明図である。
図２０（ａ）は、ＢＬＯＧ提供サーバ３３からＵＩコンテンツが届けられた際の画面である。「リストを開く」ボタンを押すと、図２０（ｂ）に示すＵＩコンテンツ一覧表示に進む。「ＢＬＯＧ閲覧」を選択して「開く」を押すと、図２０（ｃ）に示すＵＩコンテンツの内容が表示され、ＢＬＯＧ閲覧の内容が表示される。「読む」ボタンを押すと、図２０（ｄ）に示すページへ遷移し、記事内容が表示される。ユーザが「次へ」ボタンを押すと、図２０（ｅ）の写真画面に遷移し、撮影した画像を表示する。「次へ」ボタンを押すと、図２０（ｆ）のコメント入力画面に遷移し、コメントが入力できる。「投稿」ボタンを押すと、図２０（ｇ）の投稿完了画面となる。
【００５２】
図２１は、ＢＬＯＧ閲覧のＵＩコンテンツ生成データを示す説明図である。ＵＩコンテンツ生成データ内の置換部分に入るべきデータを、ＢＬＯＧ提供サーバ３３から取り込む。例えば、投稿者名、記事のテーマ、本文、写真、投稿先情報等といった情報はすべてＢＬＯＧ提供サーバ３３から取り込む。
このように、情報が刻々変化する場合、ＵＩコンテンツ生成データに基づいて、変化するデータを置き変えるだけで、簡単にＵＩコンテンツが生成できる。
【図面の簡単な説明】
【００５３】
【図１】本発明に係るＵＩコンテンツ生成システムの第１の実施例を示す構成図である。
【図２】携帯電話におけるビデオ録画予約のＵＩコンテンツの画面遷移を示す説明図である。
【図３】ＵＩコンテンツ生成データを示す説明図である。
【図４】ビデオ録画予約のＵＩコンテンツ生成データを示す説明図である。
【図５】ＵＩコンテンツ生成サーバの構成を示すブロック図である。
【図６】ＵＩコンテンツ生成サーバの動作を示すフローチャートである。
【図７】携帯電話６０の操作手順を示すフローチャートである。
【図８】本発明に係るＵＩコンテンツ生成システムの第２の実施例を示す構成図である。
【図９】携帯電話における映像再生ＵＩコンテンツの画面遷移を示す説明図である。
【図１０】映像再生のＵＩコンテンツ生成データを示す説明図である。
【図１１】ＸＭＬによるＵＩコンテンツ生成データの内容を示す説明図である。
【図１２】ＵＩコンテンツ生成データに対してデータ置換を行ったＵＩコンテンツの説明図である。
【図１３】第２の実施例におけるＵＩコンテンツ生成サーバの動作を示すフローチャートである。
【図１４】本発明に係るＵＩコンテンツ生成システムの第３の実施例を示す構成図である。
【図１５】携帯電話における着うたＵＩコンテンツの画面遷移を示す説明図である。
【図１６】着うたのＵＩコンテンツ生成データを示す説明図である。
【図１７】本発明に係るＵＩコンテンツ生成システムの第４の実施例を示す構成図である。
【図１８】携帯電話におけるＢＬＯＧ投稿のＵＩコンテンツの画面遷移を示す説明図である。
【図１９】ＢＬＯＧ投稿のＵＩコンテンツ生成データを示す説明図である。
【図２０】携帯電話におけるＢＬＯＧ閲覧のＵＩコンテンツの画面遷移を示す説明図である。
【図２１】ＢＬＯＧ閲覧のＵＩコンテンツ生成データを示す説明図である。
【符号の説明】
【００５４】
１０  ＵＩコンテンツ生成サーバ
１１  通信部
１２  データ入力部
１３  ＵＩコンテンツ生成データ選択部
１４  ＵＩコンテンツ生成データ解釈部
１５  ＵＩコンテンツ生成データ蓄積部
１６  ＵＩコンテンツ生成データ置換部
１７  データ取得部
１８  ＵＩコンテンツ蓄積部
１９  ＵＩコンテンツ選択部
２０  データ出力部
３０  情報サーバ
３１  テレビ番組情報サーバ
３２  着うた販売業者サーバ
３３  ＢＬＯＧ提供サーバ
５０  ＡＶ機器
６０，６１，６２  携帯電話
７０  インターネット
８０  携帯電話網
【図１】
2006024137.tif 000003
【図２】
2006024137.tif 000004
【図３】
2006024137.tif 000005
【図４】
2006024137.tif 000006
【図５】
2006024137.tif 000007
【図６】
2006024137.tif 000008
【図７】
2006024137.tif 000009
【図８】
2006024137.tif 000010
【図９】
2006024137.tif 000011
【図１０】
2006024137.tif 000012
【図１１】
2006024137.tif 000013
【図１２】
2006024137.tif 000014
【図１３】
2006024137.tif 000015
【図１４】
2006024137.tif 000016
【図１５】
2006024137.tif 000017
【図１６】
2006024137.tif 000018
【図１７】
2006024137.tif 000019
【図１８】
2006024137.tif 000020
【図１９】
2006024137.tif 000021
【図２０】
2006024137.tif 000022
【図２１】
2006024137.tif 000023